(57)【要約】      （修正有）【課題】高い緩衝性能で物品を保護するストレッチフィルムの積載能力を活用し、輸送箱において、単体収納から複数個への収納を図り、包装箱と輸送用箱の集約化を図る。物品保持材の回収と繰返し利用により、用済み後に廃棄物としての排出量を最小限に抑え、リサイクル可能な包装材として資源効率の向上を図る。【解決手段】ストレッチフィルを設ける物品保持材を脱着式とすることで、物品を収納する輸送箱内の未使用の空間を収納スペースとして活用を図る。該箱体の平面のフィルムを標準装備として、正面・左右側面・下面・背面をオプションでの収納スペースとすることで、物品の単体収納から、複数個収納に機能が拡張されることになる。フィルムを脱着式とすることで、箱体と分離出来るのでサイズも小さくなり、回収が行い易い。また、フィルムと箱体共に磨耗度が少ないので、再利用の使用頻度が上がる。【選択図】図３
0003140361.tif 000002
【実用新案登録請求の範囲】
【請求項１】
箱体の複数の内面に向けて物品を保持できる輸送箱において、少なくとも１内面には、箱体本体に脱着可能なフィルム状の物品保持材が用いられ、この物品保持材がストレッチフィルムからなることを特徴とする物品輸送箱。
【請求項２】
上記物品保持材の端部に面ファスナーが設けられてなることを特徴とする物品保持材。
【請求項３】
請求項１記載の物品保持材において、両端に留め具が設けられ、該留め具には複数個所の固定位置が用意されていることを特徴とする物品保持材。
【請求項４】
請求項１、請求項２、又は請求項３に用いられることを特徴とする物品保持材。
【考案の詳細な説明】
【技術分野】
【０００１】本考案は包装に関し、１種類の緩衝方式で、違う形状の物品に対応できるストレッチフィルムを用いた物品輸送箱に関する。
【背景技術】
【０００２】例えば電子機器や精密機器用の保守用部品や消耗品は、製品保護の為、製品別に緩衝方式と包装方式が異なる事から、サイズや形状の異なる包装箱と製品種類別の多様な緩衝材を用いている。
保護緩衝と包装を一体化した弾力のあるフィルム包装材は、高い緩衝性能で物品を保護する。該フィルム包装材は輸送中の衝撃や振動を吸収して物品を保護する。【０００３】フィルム包装材では、緩衝方式は同じで違う形状の同種の製品に対応した箱体を用いている。【０００４】高性能の物品保護を目的にする場合は
上記の箱体にフィルムを貼ったフレームを入れ、物品を置き、もう一つのフレームを上からはめて中空で物品を保持する方法。
（特表平３−５０３９９５号、特開平１０−４５１７１号参照方）【０００５】フィルムを使わない従来方法は、様々の物品別に発泡スチロール成形体あるいはプラスチックや紙製の成形体等に嵌め込んだり、発泡緩衝シート等で包装。或いは樹脂製の緩衝材を物品と箱体の隙間に詰めて梱包するため、梱包作業が煩雑である。【０００６】上記の従来方法に代わるフィルムを使った包装方法では、段ボールにフィルムを貼り、段ボールとフィルム面の間に物品を入れ、段ボールの辺を折り曲げてフィルムの引張り強度を高めて、固定する方法がある。
（米国特許５３８６９１１号参照方）【０００７】上記のフィルム包装材や従来方法は、企業グループ内での通い箱的な使い方以外は出荷・回収の１回で廃棄されているのが現状である。このため、資源の節約上問題となっている。また、フィルムを使った包装方式は、従来方法に比べて緩衝性能は優れているが、製造コストが高く、コスト面で課題が多い。【０００８】従来、この種のフィルム包装材は、特許文献１（特表平３−５０３９９５号公報）特許文献２（米国特許５３８６９１１号公報）特許文献３（特開平１０−４５１７１号公報）に記載なものが知られている。【０００９】
【特許文献１】  特表平３−５０３９９５号  公報
【特許文献２】  米国特許５３８６９１１号  公報
【特許文献３】  特開平１０−４５１７１号  公報
【考案の開示】
【考案が解決しようとする課題】
【００１０】フィルム包装方式では、構造上、箱体の１面に物品を１個のみしか収納することができない。特にフィルム包装方式は従来方法に比べて緩衝性能は優れているが、製造コストが高く、費用対効果の面で課題が多い。本考案は箱体の使っていない面を、脱着式の物品保持材を用いるで、複数個の物品を収納可能とすることにより輸送箱の製造コストと物流コストの節減、物品保持材の再利用を図ることを目的とする。
【課題を解決するための手段】
【００１１】物品保持材は、直方体形状の箱内の６面（正面、平面、左側面、右側面、下面、背面）を独立した収納空間として扱い、６面を活用し物品を最大６個収納する。
ストレッチフィルムの伸縮機能と緩衝能力を活用し、物品を安全に固定する。
この例は、カメラや携帯電話などの、本体と付属品や説明書の多い機器類の梱包にも適する。物品は箱のケーシングとフィルムで挟まれ、物品の周囲を包み込み保持する。
フィルムは摩擦係数及び引張り破断強度の大きいウレタンフィルム（ＴＰＵフィルム）を用いる。輸送箱の任意の辺に取付け、物品保持材両端の留め具で固定する。
使用後は取外して、繰り返し利用することができる。また、用済み後は資源ゴミとして再生することができる。
【考案の効果】
【００１２】このように本考案によれば、従来技術のストレッチフィルムと箱体との熱融着、又は接着剤での接着方法では不可能であった複数個を収納しての輸送箱活用で緩衝材の統一化及び輸送箱の集約化を図ることができ、また梱包作業及び輸送作業の効率化を図ること等ができる。物品保持材の繰り返し利用により資源効率の向上を図ること等ができ、また、用済み後は資源ゴミとして再生することができる。
従来方法に代わる多機能で経済的な包装方法が実現できる。
【考案を実施するための最良の形態】
【００１３】次に実施の形態を示す図面に基づき、本考案による物品保持材をさらに詳しく説明する。便宜上同一の機能を奏する部分には同一の符号を付し、その説明を省略する。【００１４】図１は、本考案による物品保持材の作用の説明の為に使用する輸送箱の展開図と概略の斜視図である。
図面に記載した符号に従い説明する。
本考案による物品保持材は、正面１、平面２、左側面３、右側面４、下面５、背面６を必要に応じて使用することができる。下面５は、収納する物品のサイズから該物品が相互に接触する場合は、物品相互の緩衝防止用空間として使用しない。【００１５】図２は、フィルムの両端を脱着する樹脂製、または紙製の留め具で構成した物品保持材の平面図である。フィルム１３で収納する物品を覆い、輸送箱に設けた面ファスナーとケーシング１０に設けた面ファスナー１７を接着することで物品が固定される。伸張力が不充分な場合、ケーシング１０の固定用溝１１にフィルムを通し、半巻き幅単位で巻付けて伸張力を調整することができる。輸送箱の上蓋８と９を閉めた時、該上蓋で留め具が押圧されるのでより安定的に保持されるのである。【００１６】図３は、フィルムの両端を脱着する樹脂製の留め具で構成した物品保持材の平面図である。フィルム１３で収納する物品を被い、ケーシング１０の固定用溝１１を、デジタル的に伸張力を調整する１０ｍｍ間隔で設けたケーシング１２の固定用溝１１の５段階の中で、サイズ・形状・重さ等から緩衝力を維持する固定用溝を選択する。
固定用溝を相互に差込むことで摩擦係数と引張破断強度の大きいフィルムの伸縮作用で強制嵌合され、該物品が固定され安定的に保持されるのである。
小さい物品の収納で、フィルムが長すぎてケーシング１２の５段階でも伸張力が不充分な場合、ケーシング１０に半巻き幅単位で巻付けて調整した後に、再度５段階の固定溝を選択することができる。【００１７】図４は、形状等から比較的損傷しやすい物品を、アナログ的に伸張力を調整する留め具で構成した物品保持材の平面図である。
ケーシング１４は布製で、布製の紐を通す通孔１５と紐の把手１６を設ける。
フィルム１３で収納する物品を被い、把手１６でフィルム１３の伸縮度合いを計り紐を結ぶことで、該物品が固定され安定的に保持されるのである。【００１８】図５は、フィルム片側の端と対向するフィルムの端の左右側面に設けた面ファスナー１７で構成した物品保持材の平面図である。
フィルム１３で収納する物品を覆い、輸送箱に設けた面ファスナーと、フィルム１３に設けた面ファスナーを組合せすることで収納用ポケットが形成され、圧縮することで物品が固定される。
伸張力が不充分な場合、該左右側面の面ファスナーとケーシングの面ファスナーの組合せ位置を移動することで伸張力を調整することができるのである。【００１９】図６は、輸送箱の蓋を固定する留め具の使用例の斜視図である。
脱着可能なので、粘着テープ等での密閉や開封時に鋏等での切断が不要である。
図２の物品保持材と形状が同じで、併用することが出来るのである。
【図面の簡単な説明】
【００２０】
【図１】  輸送箱の展開図（１）とその斜視図（２）
【図２】  面ファスナーの留め具の平面図
【図３】  樹脂製留め具の平面図（デジタル的調整機能）
【図４】  布製留め具の平面図（アナログ的調整機能）
【図５】  ポケット式留め具の平面図
【図６】  輸送箱の蓋と留め具の実施の形態を示す実施例の斜視図である。
【符号の説明】
【００２１】１      正面                              １１    固定用溝
２      平面                              １２    左記１０に対向する留め具のケー３      左側面                                    シング
４      右側面                            １３    ストレッチフィルム
５      下面                              １４    布製留め具のケーシング
６      背面                              １５    通孔
７      差込み口                          １６    紐の把手
８      左上蓋                            １７    面ファスナー
９      右上蓋                              Ｘ    輸送箱
１０    樹脂製又は紙製留め具のケーシング    Ｙ    物品
【図１】
0003140361.tif 000003
【図２】
0003140361.tif 000004
【図３】
0003140361.tif 000005
【図４】
0003140361.tif 000006
【図５】
0003140361.tif 000007
【図６】
0003140361.tif 000008
【手続補正書】
【提出日】平成19年12月6日(2007.12.6)
【手続補正１】
【補正対象書類名】実用新案登録請求の範囲
【補正対象項目名】全文
【補正方法】変更
【補正の内容】
【実用新案登録請求の範囲】
【請求項１】
箱体の複数の内面に向けて物品を保持できる輸送箱において、少なくとも１内面には、箱体本体に脱着可能なフィルム状の物品保持材が用いられ、この物品保持材がストレッチフィルムからなることを特徴とする物品輸送箱。
【請求項２】
請求項１に記載の物品輸送箱において、上記物品保持材の端部に面ファスナーが設けられてなることを特徴とする物品輸送箱。
【請求項３】
請求項１に記載の物品輸送箱において、上記物品保持材の両端に留め具が設けられ、該留め具には複数箇所の固定位置が用意されていることを特徴とする物品輸送箱。
【請求項４】
請求項１に記載の物品輸送箱において、箱体と該箱体内に配置される上記物品保持材で構成される直方体形状の箱内の６面（正面、平面、左側面、右側面、下面、背面）の中から、少なくても２面を活用し、物品を複数個収納することを特徴とする物品輸送箱。